(57)【要約】【課題】眼科用撮像装置によって撮影された画像を見ながら、眼科用撮像装置の制御パラメータの値を容易に変更できるようにする。【解決手段】コンピュータ５とデータの送受信を行うための入出力インターフェース部７と、少なくとも１個のボリューム調整つまみからなるボリューム操作部３と、ボリューム操作部３の各ボリューム調整つまみの回転位置に従って発生する電圧値から、対応する制御パラメータ値を生成するＡ／Ｄ変換部６と、Ａ／Ｄ変換部および入出力インターフェース部の動作を制御し、Ａ／Ｄ変換部で生成された制御パラメータ値を入出力インターフェース部を通じてコンピュータに出力する制御部８を備える。【選択図】図１
0003110046.tif 000002
【実用新案登録請求の範囲】
【請求項１】
眼科用撮像装置の制御用コンピュータに接続して使用されるものであって、
ケーシングと、
前記ケーシングに備えられ、前記コンピュータと接続するための入出力インターフェース部と、
前記ケーシングの外面に取付けられた少なくとも１個のボリューム調整つまみからなるボリューム操作部と、
前記ケーシングに備えられ、前記ボリューム操作部の各ボリューム調整つまみの回転位置に従って発生する電圧値から、対応する制御パラメータ値を生成するＡ／Ｄ変換部と、
前記ケーシングに備えられ、前記Ａ／Ｄ変換部および前記入出力インターフェース部の動作を制御し、前記Ａ／Ｄ変換部で生成された制御パラメータ値を前記入出力インターフェース部を通じて前記コンピュータに出力する制御部と、を備えていることを特徴とする眼科用撮像装置用コントロールボックス。
【請求項２】
前記制御パラメータは、前記眼科用撮像装置によって撮影される画像の画質を変更するためのパラメータであることを特徴とする請求項１に記載の眼科用撮像装置用コントロールボックス。
【請求項３】
前記入出力インターフェース部は、前記コンピュータに接続されるとともに、前記撮像装置にも直接接続されるようになっており、前記ケーシングには、さらに、外部入力装置と接続するための入力インターフェース部が備えられ、前記制御部は、前記入力インターフェース部で受けた、前記撮像装置に対する制御信号を前記コンピュータに対して出力するとともに、前記コンピュータから要求されたときにそれに対応する制御信号を前記撮像装置に対して出力するようになっていることを特徴とする請求項１または請求項２に記載の眼科用撮像装置用コントロールボックス。
【請求項４】
前記外部入力装置から入力される制御信号は、測定スイッチ信号および左右眼区別信号およびタイマースタート信号のうちの少なくとも１つであり、前記制御部が前記コンピュータから要求されたときに前記撮像装置に対して出力する制御信号は、シャッタートリガー信号およびストロボ発光トリガー信号のうちの少なくとも１つであることを特徴とする請求項３に記載の眼科用撮像装置用コントロールボックス。
【考案の詳細な説明】
【技術分野】
【０００１】
本考案は、眼科用撮像装置の制御用コンピュータに接続して使用される眼科用撮像装置用コントロールボックスに関するものである。
【背景技術】
【０００２】
従来、眼底カメラ等の眼科用撮像装置にはコンピュータが備えられていて、撮像装置の明るさや色調等を制御するための制御パラメータ値がコンピュータに入力され、そして、コンピュータから撮像装置に送出されるようになっている。
【０００３】
この制御パラメータ値のコンピュータへの入力は、コンピュータのディスプレイに表示されたパラメータ入力画面を見ながら、パラメータ入力画面上のスライドバーに付属するスライダーをマウスでドラッグして動かすことによってなされる。
【０００４】
しかしながら、眼科用撮像装置を使用しながら、すなわち、眼科用撮像装置よって撮影された画像を見ながら、当該眼科用撮像装置の明るさや色調等を調整すべく制御パラメータ値を変更しようとする場合、かかる構成では、撮影画像からコンピュータのディスプレイ画面に一旦目を移さねばならず、撮影画像を見ながら制御パラメータ値を変更することはできず、非常に不便であった。
【考案の開示】
【考案が解決しようとする課題】
【０００５】
したがって、本考案の課題は、眼科用撮像装置によって撮影された画像を見ながら、眼科用撮像装置の制御パラメータの値を容易に変更できるようにすることにある。
【課題を解決するための手段】
【０００６】
上記課題を解決するため、本考案によれば、眼科用撮像装置の制御用コンピュータに接続して使用されるものであって、ケーシングと、前記ケーシングに備えられ、前記コンピュータと接続するための入出力インターフェース部と、前記ケーシングの外面に取付けられた少なくとも１個のボリューム調整つまみからなるボリューム操作部と、前記ケーシングに備えられ、前記ボリューム操作部の各ボリューム調整つまみの回転位置に従って発生する電圧値から、対応する制御パラメータ値を生成するＡ／Ｄ変換部と、前記ケーシングに備えられ、前記Ａ／Ｄ変換部および前記入出力インターフェース部の動作を制御し、前記Ａ／Ｄ変換部で生成された制御パラメータ値を前記入出力インターフェース部を通じて前記コンピュータに出力する制御部と、を備えていることを特徴とする眼科用撮像装置用コントロールボックスが構成される。
【０００７】
上記構成において、前記制御パラメータは、前記眼科用撮像装置によって撮影される画像の画質を変更するためのパラメータであることが好ましい。
本発明の別の好ましい実施例によれば、前記入出力インターフェース部は、前記コンピュータに接続されるとともに、前記撮像装置にも直接接続されるようになっており、前記ケーシングには、さらに、外部入力装置と接続するための入力インターフェース部が備えられ、前記制御部は、前記入力インターフェース部で受けた、前記撮像装置に対する制御信号を前記コンピュータに対して出力するとともに、前記コンピュータから要求されたときにそれに対応する制御信号を前記撮像装置に対して出力するようになっている。
この場合、好ましくは、前記外部入力装置から入力される制御信号は、測定スイッチ信号および左右眼区別信号およびタイマースタート信号のうちの少なくとも１つであり、前記制御部が前記コンピュータから要求されたときに前記撮像装置に対して出力する制御信号は、シャッタートリガー信号およびストロボ発光トリガー信号のうちの少なくとも１つである。
【考案の効果】
【０００８】
本考案によれば、ボリューム調整つまみの回転位置に対応して、眼科用撮像装置の制御パラメータ値を入力するようにしたので、撮像装置によって撮影された画像を見ながらでも容易に制御パラメータ値を変更することができる。
【考案を実施するための最良の形態】
【０００９】
以下、添付図面を参照して、本考案の好ましい実施例について説明する。図１は、本考案の１実施例による眼科用撮像装置用コントロールボックスのブロック図であり、図２は、図１のコントロールボックスの斜視図である。
図１および図２を参照して、本考案のコントロールボックス１は、箱形のケーシング２を備えている。ケーシング２の前面パネル２ａには、少なくとも１個、この実施例では４個のボリューム調整つまみ３ａ〜３ｄが取付けられ、ボリューム操作部３を構成している。そして、ボリューム操作部３を通じて、明るさ、色合い、輝度およびコントラスト等の、眼科用撮像装置４によって撮影される画像の画質を変更するための制御パラメータ値が入力されるようになっている。
【００１０】
ケーシング２には、また、コンピュータ５と接続するための入出力インターフェース部７と、ボリューム操作部３の各ボリューム調整つまみ３ａ〜３ｄの回転位置に従って発生する電圧値から、対応する制御パラメータ値を生成するＡ／Ｄ変換部６が備えられる。ケーシング２の後面パネル２ｂには、入出力インターフェース部７の一部を構成するＵＳＢポート１１およびピンジャック（ミニジャック）１２が備えられている。
【００１１】
ケーシング２には、さらに、Ａ／Ｄ変換部６および入出力インターフェース部７の動作を制御する制御部８が備えられている。制御部８は、Ａ／Ｄ変換部６で生成された制御パラメータ値を、入出力インターフェース部７を通じてコンピュータ５に出力するようになっている。
【００１２】
ケーシング２には、外部入力装置１０から入力される、撮像装置４に対する制御信号を受ける入力インターフェース部９が備えられる。ケーシング２の後面パネル２ｂには、入力インターフェース部９の一部を構成するピンジャック（ミニジャック）１３ａ〜１３ｃ、および４ピンコネクタ１４が備えられている。外部入力装置１０から入力される、撮像装置４に対する制御信号としては、例えば、測定スイッチ信号、タイマースタート信号および左右眼区別信号等がある。
【００１３】
この実施例では、入出力インターフェース部７は、コンピュータ５に接続されるとともに、撮像装置にも直接接続されるようになっている。そして、制御部８は、入力インターフェース部９で受けた制御信号をコンピュータ５に対して出力するとともに、コンピュータ５から要求されたときにそれに対応する制御信号を撮像装置４に対して出力するようになっている。
この場合、例えば、外部入力装置１０から測定スイッチ信号が入力されると、この信号は、制御部８によってコンピュータ５に出力される。そして、コンピュータ５は、この測定スイッチ信号に応答して、撮像装置４の動作とタイミングをとりながら、制御部８に対して、撮像装置４にシャッタートリガー信号、ストロボ発光トリガー信号等を出力するように命令を発出する。制御部８は、それに応答して、撮像装置４に対しこれらの信号を出力する。
【００１４】
また、外部入力装置１０からタイマースタート信号および左右眼区別信号が入力されると、制御部８は、これらの信号をコンピュータ５に出力する。
【００１５】
こうして、コントロールボックス１のＵＳＢポート１１には、コンピュータ５の入出力ポートと接続するためのＵＳＢケーブルが接続され、ミニジャック１２には、撮像装置４の入力ポートと接続するためのケーブルが接続される。
また、ミニジャック１３ａ〜１３ｃおよび４ピンコネクタ１４には、必要に応じて適当な外部入力装置１０と接続するためのケーブルが接続される。
【００１６】
そして、撮影装置４による被検眼の撮影がなされる場合に、撮影された画像の明るさ、コントラストおよび色合い等の画像の画質の変更が必要なとき、コントロールボックス１のボリューム操作部３の対応するボリューム調整つまみ３ａ〜３ｄが回される。それによって、所望の画質を得るべく、関係する制御パラメータの値が容易に変更される。この場合、ボリューム調整つまみ３ａ〜３ｄの回転位置に対応して、撮像装置４に対する制御パラメータ値が入力されるので、眼科医等の操作者は、撮像装置４によって撮影された画像を見ながらでも容易に制御パラメータ値を変更することができる。
【００１７】
また、外部入力装置１０から測定スイッチ信号が入力されると、この信号は、コントロールボックス１からコンピュータ５に送出され、コンピュータ５から、適当なタイミングで、コントロールボックス１に対して、撮像装置４にシャッタートリガー信号、ストロボ発光トリガー信号および露光タイマー信号等を出力するように命令が発出される。そして、コントロールボックス１は、それに応答して撮像装置４に対しこれらの信号を出力し、それに応答して撮像装置４が動作を行う。
さらに、外部入力装置１０から、測定スイッチ信号、タイマースタート信号および左右眼区別信号等が入力されると、これらの信号は、コントロールボックス１を通じてコンピュータ５に送出され、撮像装置４が対応する動作を行う。
【図面の簡単な説明】
【００１８】
【図１】本考案の１実施例による眼科用撮像装置用コントロールボックスのブロック図である。
【図２】図１のコントロールボックスの斜視図であり、（Ａ）は正面側から見たもの、（Ｂ）は後面側から見たものである。
【符号の説明】
【００１９】
１  コントロールボックス
２  ケーシング
２ａ  前面パネル
２ｂ  後面パネル
３  ボリューム操作部
３ａ〜３ｄ  ボリューム調整つまみ
４  撮像装置
５  コンピュータ
６  Ａ／Ｄ変換部
７  入出力インターフェース部
８  制御部
９  入力インターフェース部
１０  外部入力装置
【図１】
0003110046.tif 000003
【図２】
0003110046.tif 000004